(57)【特許請求の範囲】
【請求項１】
カードが挿入されるとともに前記カードが排出されるカード挿入口を備えるとともに、
前記カード挿入口から挿入された前記カードの厚さ方向の一方を第１方向とし、前記カードの厚さ方向の他方を第２方向とすると、
前記カード挿入口から挿入された前記カードの第１方向側に配置され第１方向側から前記カードに接触可能な支持部材と前記カード挿入口から挿入された前記カードの第２方向側の面を押さえるための押え部材とを有し、前記カード挿入口から挿入される前記カードよりも前記押え部材が第２方向側に配置されて前記カード挿入口への前記カードの挿入および前記カード挿入口からの前記カードの排出が可能となる挿入排出可能位置と、前記押え部材が前記カードの第２方向側の面に接触して前記カードの第２方向側の面を押さえることが可能な位置であって前記挿入排出可能位置よりも第１方向側の位置である挿入完了位置との間で前記カードの厚さ方向へ移動可能な移動部と、
前記挿入排出可能位置で前記移動部を保持する保持位置と前記挿入完了位置へ前記移動部が移動するように退避する退避位置との間で前記カードの挿入方向および前記カードの排出方向にスライド可能な保持部材と、
前記カード挿入口から挿入された前記カードの先端が当接する当接部材と、
前記カードの排出方向へ前記当接部材を付勢する第１の付勢部材と、
前記移動部を第１方向へ付勢する第２の付勢部材と、
前記挿入完了位置から前記挿入排出可能位置へ前記移動部を移動させるための駆動源とを備え、
前記カードの挿入時に、前記カード挿入口から挿入され前記当接部材に当接した前記カードがさらに挿入されると、前記保持部材が前記保持位置から前記退避位置にスライドして前記移動部が前記挿入排出可能位置から前記挿入完了位置に移動し、
前記カードの排出時には、前記駆動源の動力によって前記挿入完了位置から前記挿入排出可能位置に前記移動部が移動し、前記当接部材によって前記カードの排出方向へ前記カードが押されて、前記カード挿入口から前記カードが排出されることを特徴とするカード処理装置。
【請求項２】
前記当接部材は、前記保持部材に固定されているか、または、前記保持部材と一体で形成されており、
前記カードの挿入時に、前記カード挿入口から挿入され前記当接部材に当接した前記カードがさらに挿入されると、前記当接部材と一緒に前記保持部材が前記カードの挿入方向へ移動して前記退避位置にスライドすることを特徴とする請求項１記載のカード処理装置。
【請求項３】
前記支持部材は、第１方向へ突出する第１突出部を備え、
前記保持部材は、第２方向へ突出するとともに前記保持位置において前記第１突出部の第１方向端に当接する第２突出部を備え、
前記カードの挿入時に、前記カード挿入口から挿入され前記当接部材に当接した前記カードがさらに挿入されると、前記保持部材が前記カードの挿入方向へ移動して、前記第１突出部と前記第２突出部との当接状態が解除され、前記移動部が前記挿入排出可能位置から前記挿入完了位置に移動することを特徴とする請求項２記載のカード処理装置。
【請求項４】
前記駆動源は、前記移動部に連結され、前記移動部を第２方向へ移動させることを特徴とする請求項２または３記載のカード処理装置。
【請求項５】
前記保持部材を前記保持位置でロックするロック部材と、前記保持部材を前記カードの排出方向へ付勢する第３の付勢部材とを備え、
前記当接部材は、前記ロック部材に固定されているか、または、前記ロック部材と一体で形成されており、
前記第１の付勢部材は、前記ロック部材が前記保持部材をロックするロック位置に向かって前記ロック部材を付勢し、
前記カードの挿入時に、前記カード挿入口から挿入され前記当接部材に当接した前記カードがさらに挿入されると、前記ロック部材による前記保持部材のロック状態が解除され、前記保持部材が前記カードの排出方向へ移動して前記退避位置へスライドすることを特徴とする請求項１記載のカード処理装置。
【請求項６】
前記支持部材は、第１方向へ突出する第１突出部を備え、
前記保持部材は、第２方向へ突出するとともに前記保持位置において前記第１突出部の第１方向端に当接する第２突出部を備え、
前記カードの挿入時に、前記カード挿入口から挿入され前記当接部材に当接した前記カードがさらに挿入されると、前記ロック部材による前記保持部材のロック状態が解除されて、前記保持部材が前記カードの排出方向へ移動し、前記第１突出部と前記第２突出部との当接状態が解除されて、前記移動部が前記挿入排出可能位置から前記挿入完了位置に移動することを特徴とする請求項５記載のカード処理装置。
【請求項７】
前記第１突出部の、前記カードの排出方向側の面は、第１方向に向かうにしたがって前記カードの挿入方向へ向かうように傾斜する傾斜面となっており、
前記駆動源は、前記保持部材に連結され、前記カードの挿入方向へ前記保持部材をスライドさせることを特徴とする請求項６記載のカード処理装置。
【請求項８】
前記カードに記録された磁気データの読取りおよび前記カードへの磁気データの記録の少なくともいずれか一方を行う磁気ヘッドを備え、
前記カードは、略長方形状に形成され、
前記カードには、磁気データが記録される帯状の磁気ストライプが前記カードの長手方向に沿って形成され、
前記カードの短手方向と前記カードの挿入方向とが一致するように前記カード挿入口に前記カードが挿入されることを特徴とする請求項１から７のいずれかに記載のカード処理装置。
【請求項９】
前記カード挿入口が形成されるとともに前記移動部、前記保持部材および前記当接部材が配置されるカード挿入部と、前記磁気ヘッドが配置される本体部とを備え、
前記カード挿入部と前記本体部とは、前記カードの厚さ方向と前記カードの挿入方向とに直交する直交方向で隣接配置され、
前記本体部は、前記本体部内で前記カードを搬送するカード搬送機構を備え、
前記カード挿入部には、前記移動部が前記挿入完了位置にあるときに前記カードの第１方向側の面に接触する第１ローラが配置され、
前記押え部材は、前記移動部が前記挿入完了位置にあるときに前記カードの第２方向側の面に接触する第２ローラであり、
前記カード搬送機構、前記第１ローラおよび前記第２ローラによって、前記直交方向において、前記カード挿入部と前記本体部との間で前記カードが搬送されることを特徴とする請求項８記載のカード処理装置。
【発明の詳細な説明】
【技術分野】
【０００１】
本発明は、カードに記録されたデータの読取りやカードへのデータの記録を行うカード処理装置に関する。
【背景技術】
【０００２】
従来、カードに記録されたデータの読取りやカードへのデータの記録を行う手動式のカードリーダが知られている（たとえば、特許文献１参照）。特許文献１に記載のカードリーダは、ユーザが手動でカードリーダにカードを挿入するとともにカードリーダからカードを引き抜くことで、カードに記録されたデータの読取りやカードへのデータの記録を行ういわゆるディップ式のカードリーダである。このカードリーダは、磁気ヘッドおよびＩＣ接点ブロックを備えている。このカードリーダでは、カードが挿入される際、あるいは、カードが引き抜かれる際に磁気ヘッドによる磁気データの読取りや記録が行われる。また、このカードリーダでは、カードリーダの奥端までカードが挿入された状態で、ＩＣ接点ブロックによるデータの読取りや記録が行われる。
【先行技術文献】
【特許文献】
【０００３】
【特許文献１】特開２０１１−１１３２０９号公報
【発明の概要】
【発明が解決しようとする課題】
【０００４】
特許文献１に記載のカードリーダ等のカード処理装置においては、ユーザの操作性を高めるため、カード処理装置へのカードの挿入が完了したというカードの挿入完了感（クリック感）が得られることが好ましい。そこで、本発明の課題は、良好なカードの挿入完了感を得ることが可能なカード処理装置を提供することにある。
【課題を解決するための手段】
【０００５】
上記の課題を解決するため、本発明のカード処理装置は、カードが挿入されるとともにカードが排出されるカード挿入口を備えるとともに、カード挿入口から挿入されたカードの厚さ方向の一方を第１方向とし、カードの厚さ方向の他方を第２方向とすると、カード挿入口から挿入されたカードの第１方向側に配置され第１方向側からカードに接触可能な支持部材とカード挿入口から挿入されたカードの第２方向側の面を押さえるための押え部材とを有し、カード挿入口から挿入されるカードよりも押え部材が第２方向側に配置されてカード挿入口へのカードの挿入およびカード挿入口からのカードの排出が可能となる挿入排出可能位置と、押え部材がカードの第２方向側の面に接触してカードの第２方向側の面を押さえることが可能な位置であって挿入排出可能位置よりも第１方向側の位置である挿入完了位置との間でカードの厚さ方向へ移動可能な移動部と、挿入排出可能位置で移動部を保持する保持位置と挿入完了位置へ移動部が移動するように退避する退避位置との間でカードの挿入方向およびカードの排出方向にスライド可能な保持部材と、カード挿入口から挿入されたカードの先端が当接する当接部材と、カードの排出方向へ当接部材を付勢する第１の付勢部材と、移動部を第１方向へ付勢する第２の付勢部材と、挿入完了位置から挿入排出可能位置へ移動部を移動させるための駆動源とを備え、カードの挿入時に、カード挿入口から挿入され当接部材に当接したカードがさらに挿入されると、保持部材が保持位置から退避位置にスライドして移動部が挿入排出可能位置から挿入完了位置に移動し、カードの排出時には、駆動源の動力によって挿入完了位置から挿入排出可能位置に移動部が移動し、当接部材によってカードの排出方向へカードが押されて、カード挿入口からカードが排出されることを特徴とする。
【０００６】
本発明のカード処理装置は、カード挿入口から挿入されるカードよりも押え部材が第２方向側に配置されてカード挿入口へのカードの挿入およびカード挿入口からのカードの排出が可能となる挿入排出可能位置と、押え部材がカードの第２方向側の面に接触してカードの第２方向側の面を押さえることが可能な位置であって挿入排出可能位置よりも第１方向側の位置である挿入完了位置との間でカードの厚さ方向へ移動可能な移動部と、挿入排出可能位置で移動部を保持する保持位置と挿入完了位置へ移動部が移動するように退避する退避位置との間でカードの挿入方向およびカードの排出方向にスライド可能な保持部材とを備えている。また、本発明では、カード挿入口から挿入され当接部材に当接したカードがさらに挿入されると、保持部材が保持位置から退避位置にスライドして移動部が挿入排出可能位置から挿入完了位置に移動する。すなわち、本発明では、カード挿入口から挿入され当接部材に当接したカードがさらに挿入されると、挿入排出可能位置よりも第１方向側の位置である挿入完了位置に移動部が移動して、押え部材がカードの第２方向側の面を押さえる。そのため、本発明では、良好なカードの挿入完了感を得ることが可能になる。
【０００７】
また、本発明のカード処理装置は、挿入完了位置から挿入排出可能位置へ移動部を移動させるための駆動源を備えており、カードの排出時には、駆動源の動力によって挿入完了位置から挿入排出可能位置に移動部が移動し、当接部材によってカードの排出方向へカードが押されて、カード挿入口からカードが排出される。したがって、本発明では、良好なカードの挿入完了感を得るために、カードの挿入時に挿入排出可能位置よりも第１方向側の位置である挿入完了位置に移動部が移動しても、カードを自動で排出することが可能になる。
【０００８】
本発明において、当接部材は、保持部材に固定されているか、または、保持部材と一体で形成されており、カードの挿入時に、カード挿入口から挿入され当接部材に当接したカードがさらに挿入されると、当接部材と一緒に保持部材がカードの挿入方向へ移動して退避位置にスライドすることが好ましい。このように構成すると、カード処理装置の構成を比較的簡素化することが可能になる。
【０００９】
本発明において、たとえば、支持部材は、第１方向へ突出する第１突出部を備え、保持部材は、第２方向へ突出するとともに保持位置において第１突出部の第１方向端に当接する第２突出部を備え、カードの挿入時に、カード挿入口から挿入され当接部材に当接したカードがさらに挿入されると、保持部材がカードの挿入方向へ移動して、第１突出部と第２突出部との当接状態が解除され、移動部が挿入排出可能位置から挿入完了位置に移動する。
【００１０】
本発明において、駆動源は、移動部に連結され、移動部を第２方向へ移動させることが好ましい。このように構成すると、駆動源によって、移動部が直接、第２方向へ移動させられるため、移動部を確実に第２方向へ移動させることが可能になる。
【００１１】
本発明において、カード処理装置は、保持部材を保持位置でロックするロック部材と、保持部材をカードの排出方向へ付勢する第３の付勢部材とを備え、当接部材は、ロック部材に固定されているか、または、ロック部材と一体で形成されており、第１の付勢部材は、ロック部材が保持部材をロックするロック位置に向かってロック部材を付勢し、カードの挿入時に、カード挿入口から挿入され当接部材に当接したカードがさらに挿入されると、ロック部材による保持部材のロック状態が解除され、保持部材がカードの排出方向へ移動して退避位置へスライドしても良い。
【００１２】
この場合には、たとえば、支持部材は、第１方向へ突出する第１突出部を備え、保持部材は、第２方向へ突出するとともに保持位置において第１突出部の第１方向端に当接する第２突出部を備え、カードの挿入時に、カード挿入口から挿入され当接部材に当接したカードがさらに挿入されると、ロック部材による保持部材のロック状態が解除されて、保持部材がカードの排出方向へ移動し、第１突出部と第２突出部との当接状態が解除されて、移動部が挿入排出可能位置から挿入完了位置に移動する。
【００１３】
また、この場合には、たとえば、第１突出部の、カードの排出方向側の面は、第１方向に向かうにしたがってカードの挿入方向へ向かうように傾斜する傾斜面となっており、駆動源は、保持部材に連結され、カードの挿入方向へ保持部材をスライドさせる。
【００１４】
本発明において、カード処理装置は、カードに記録された磁気データの読取りおよびカードへの磁気データの記録の少なくともいずれか一方を行う磁気ヘッドを備え、カードは、略長方形状に形成され、カードには、磁気データが記録される帯状の磁気ストライプがカードの長手方向に沿って形成され、カードの短手方向とカードの挿入方向とが一致するようにカード挿入口にカードが挿入されることが好ましい。このように構成すると、犯罪者がカード処理装置のカード挿入口に磁気ヘッドを取り付けて、この磁気ヘッドでカードの磁気データを不正に取得するいわゆるスキミングを防止することが可能になる。
【００１５】
本発明において、カード処理装置は、カード挿入口が形成されるとともに移動部、保持部材および当接部材が配置されるカード挿入部と、磁気ヘッドが配置される本体部とを備え、カード挿入部と本体部とは、カードの厚さ方向とカードの挿入方向とに直交する直交方向で隣接配置され、本体部は、本体部内でカードを搬送するカード搬送機構を備え、カード挿入部には、移動部が挿入完了位置にあるときにカードの第１方向側の面に接触する第１ローラが配置され、押え部材は、移動部が挿入完了位置にあるときにカードの第２方向側の面に接触する第２ローラであり、カード搬送機構、第１ローラおよび第２ローラによって、直交方向において、カード挿入部と本体部との間でカードが搬送されることが好ましい。このように構成すると、直交方向へ磁気ヘッドを移動させるヘッド移動機構をカード処理装置が備えていなくても磁気ヘッドによって磁気データの読取りや記録を行うことが可能になる。したがって、カード処理装置の構成を簡素化することが可能になる。
【発明の効果】
【００１６】
以上のように、本発明のカード処理装置では、良好なカードの挿入完了感を得ることが可能になる。
【図面の簡単な説明】
【００１７】
【図１】本発明の実施の形態にかかるカード処理装置の概略平面図である。
【図２】（Ａ）は、図１に示すカード挿入部の正面図であり、（Ｂ）は、図１に示すカード挿入部の平面図である。
【図３】図１に示すカード挿入部の動作を説明するための正面図である。
【図４】図１に示すカード挿入部の動作を説明するための正面図である。
【図５】本発明の他の実施の形態にかかるカード挿入部を示す図であり、（Ａ）は正面図、（Ｂ）は平面図である。
【図６】図５に示すカード挿入部の動作を説明するための図であり、（Ａ）は正面図、（Ｂ）は平面図である。
【図７】図５に示すカード挿入部の動作を説明するための図であり、（Ａ）は正面図、（Ｂ）は平面図である。
【図８】図５に示すカード挿入部の動作を説明するための図であり、（Ａ）は正面図、（Ｂ）は平面図である。
【発明を実施するための形態】
【００１８】
以下、図面を参照しながら、本発明の実施の形態を説明する。
【００１９】
（カード処理装置の概略構成）
図１は、本発明の実施の形態にかかるカード処理装置１の概略平面図である。
【００２０】
本形態のカード処理装置１は、カード２に記録されたデータの読取りやカード２へのデータの記録を行うための装置であり、たとえば、ＡＴＭ等の所定の上位装置に搭載されて使用される。このカード処理装置１は、カード２が挿入されるとともにカード２が排出されるカード挿入口３が形成されるカード挿入部４と、本体部５とを備えている。また、カード処理装置１は、カード２に記録された磁気データの読取りおよびカード２への磁気データの記録の少なくともいずれか一方を行う磁気ヘッド６を本体部５の内部に備えている。本体部５は、本体部５の内部でカード２を搬送するカード搬送機構７を備えている。
【００２１】
本形態では、図１に示すＸ方向でカード挿入口３にカード２が挿入されるとともにカード挿入口３からカード２が排出される。具体的には、Ｘ１方向にカード２が挿入され、Ｘ２方向にカード２が排出される。すなわち、Ｘ１方向は、カード２の挿入方向であり、Ｘ２方向は、カード２の排出方向である。また、Ｘ方向に直交する図１のＺ方向は、カード挿入口３に挿入されてカード処理装置１に取り込まれたカード２の厚さ方向である。また、カード処理装置１の内部において、カード２は、Ｘ方向とＺ方向とに直交する図１のＹ方向に搬送される。
【００２２】
以下の説明では、Ｘ方向を「左右方向」、Ｙ方向を「前後方向」、Ｚ方向を「上下方向」とする。また、Ｘ１方向側を「右」側、Ｘ２方向側を「左側」とするとともに、図２（Ａ）に示すように、Ｚ１方向側を「上」側、Ｚ２方向側を「下」側とする。本形態では、Ｚ方向（上下方向）が鉛直方向（重力の方向）と一致するようにカード処理装置１が設置されている。また、本形態では、下方向（Ｚ２方向）は、カード挿入口３に挿入されたカード２の厚さ方向の一方である第１方向となっており、上方向（Ｚ１方向）は、カード２の厚さ方向の他方である第２方向となっている。また、本形態のＹ方向（前後方向）は、カード２の厚さ方向とカード２の挿入方向とに直交する直交方向である。
【００２３】
カード２は、たとえば、厚さが０．７〜０．８ｍｍ程度の略長方形状の塩化ビニール製のカードである。このカード２の裏面には、磁気データが記録される帯状の磁気ストライプ２ａが形成されている。磁気ストライプ２ａは、略長方形状に形成されるカード２の長手方向に沿って形成されている。カード２は、カード２の短手方向と左右方向とが一致するようにカード挿入口３に挿入される。また、カード処理装置１の内部では、カード２は、カード２の長手方向と前後方向とが一致した状態で前後方向に搬送される。なお、カード２には、ＩＣチップや通信用のアンテナがカード２に内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２４】
カード挿入口３は、カード挿入部４の左側面に形成されている。カード挿入部４と本体部５とは、前後方向で隣り合うように配置されている。左右方向におけるカード挿入部４の幅および本体部５の幅は、カード２の短手方向の幅よりも広くなっているが、カード２の長手方向の幅よりも狭くなっている。カード挿入部４の具体的な構成および動作については後述する。
【００２５】
磁気ヘッド６は、カード搬送機構７によって搬送されるカード２の磁気ストライプ２ａに当接する位置に配置されている。カード搬送機構７は、カード２を搬送する複数の搬送ローラ対１０を備えている。搬送ローラ対１０は、プーリやベルト等の動力伝達機構１１を介してモータ１２に連結される駆動ローラと、駆動ローラに対向配置されるパッドローラとから構成されている。駆動ローラとパッドローラとは上下方向で対向している。また、複数の搬送ローラ対１０は、前後方向において所定のピッチで配置されている。
【００２６】
（カード挿入部の構成および動作）
図２（Ａ）は、図１に示すカード挿入部４の正面図であり、図２（Ｂ）は、図１に示すカード挿入部４の平面図である。図３、図４は、図１に示すカード挿入部４の動作を説明するための正面図である。
【００２７】
カード挿入部４の内部には、カード挿入口３から挿入されたカード２の下側に配置され下側からカード２に接触可能な支持部材１５と、カード挿入口３から挿入されたカード２の上面を押さえるための押えローラ１６とを有する移動部１７が配置されている。移動部１７は、カード挿入口３から挿入されるカード２よりも押えローラ１６が上側に配置されてカード挿入口３へのカード２の挿入およびカード挿入口３からのカード２の排出が可能となる挿入排出可能位置１７Ａ（図２（Ａ）、図３に示す位置）と、押えローラ１６がカード２の上面に接触してカード２の上面を押さえることが可能な位置であって挿入排出可能位置１７Ａよりも下側の位置である挿入完了位置１７Ｂ（図４に示す位置）との間で上下方向へ移動可能となっている。本形態の押えローラ１６は、押え部材である。また、本形態の押えローラ１６は、移動部１７が挿入完了位置１７Ｂにあるときにカード２の上面に接触する第２ローラである。
【００２８】
また、カード挿入部４の内部には、挿入排出可能位置１７Ａで移動部１７を保持する保持位置１８Ａ（図２（Ａ）に示す位置）と挿入完了位置１７Ｂへ移動部１７が移動するように退避する退避位置１８Ｂ（図４に示す位置）との間で左右方向にスライド可能な保持部材１８と、カード挿入口３から挿入されたカード２の先端（右端）が当接する当接部材１９と、左方向へ当接部材１９を付勢する付勢部材２０と、挿入完了位置１７Ｂから挿入排出可能位置１７Ａへ移動部１７を移動させるための駆動源２１と、移動部１７が挿入完了位置１７Ｂにあるときにカード２の下面に接触する駆動ローラ２２とが配置されている。本形態の付勢部材２０は、第１の付勢部材であり、駆動ローラ２２は、第１ローラである。なお、図２（Ｂ）では、付勢部材２０および駆動源２１等の図示を省略している。
【００２９】
支持部材１５は、略長方形の平板状に形成されている。この支持部材１５は、支持部材１５の厚さ方向と上下方向とが一致するように配置されている。支持部材１５の上側には、平板状に形成されるガイド部材２３が配置されている。ガイド部材２３は、たとえば、略長方形の平板状に形成されている。このガイド部材２３は、ガイド部材２３の厚さ方向と上下方向とが一致するように配置されている。上下方向における支持部材１５とガイド部材２３との間には、カード２の厚さよりも広い隙間が形成されており、この隙間は、カード２が搬送されるカード搬送路となっている。
【００３０】
支持部材１５の略中心には、上下方向に貫通する貫通孔１５ａが形成されている。支持部材１５の、貫通孔１５ａの右側にも、上下方向に貫通する貫通孔１５ｂが形成されている。ガイド部材２３の略中心には、上下方向に貫通する貫通孔２３ａが形成されている。貫通孔１５ａ、２３ａは、略同形状の四角孔状に形成されている。上下方向から見たときに、貫通孔１５ａと貫通孔２３ａとは重なっている。貫通孔１５ｂは、貫通孔１５ａよりも大きな四角孔状に形成されている。なお、図２（Ａ）、図３、図４では、貫通孔１５ｂの図示を省略している。
【００３１】
支持部材１５は、下方向へ突出する突出部１５ｃを備えている。本形態では、支持部材１５は、４個の突出部１５ｃを備えている。４個の突出部１５ｃのうちの２個の突出部１５ｃは、支持部材１５の前端側に形成され、残りの２個の突出部１５ｃは、支持部材１５の後端側に形成されている。また、支持部材１５の前端側に形成される２個の突出部１５ｃは、左右方向において所定の間隔をあけた状態で配置され、支持部材１５の後端側に形成される２個の突出部１５ｃも、左右方向において所定の間隔をあけた状態で配置されている。本形態の突出部１５ｃは、第１突出部である。
【００３２】
突出部１５ｃは、前後方向から見たときの形状が等脚台形状となるブロック状に形成されている。突出部１５ｃの下端面は、上下方向に直交する平面状に形成されている。突出部１５ｃの左側面は、下方向に向かうにしたがって右方向へ向かうように傾斜する平面状の傾斜面となっている。突出部１５ｃの右側面は、下方向に向かうにしたがって左方向へ向かうように傾斜する平面状の傾斜面となっている。
【００３３】
押えローラ１６は、固定軸２６に回転可能に支持されている。固定軸２６は、固定軸２６の軸方向と左右方向とが一致するように配置されている。押えローラ１６は、回転軸２６の左端側に回転可能に支持されており、左右方向を回転の軸方向として回転可能となっている。押えローラ１６の下端側部分は、貫通孔２３ａの中に配置されている。移動部１７が上下動すると、押えローラ１６の下端側部分は、貫通孔２３ａの中を通過する。固定軸２６の右端側は、支持部材１５の上面に固定される軸保持部材２７に固定されている。軸保持部材２７は、支持部材１５から上側へ突出するように、支持部材１５の右端側に固定されている。
【００３４】
保持部材１８は、略長方形の平板状に形成されている。この保持部材１８は、保持部材１８の厚さ方向と上下方向とが一致するように配置されている。保持部材１８は、上方向へ突出する突出部１８ａを備えている。本形態では、保持部材１８は、４個の突出部１８ａを備えている。４個の突出部１８ａのうちの２個の突出部１８ａは、保持部材１８の前端側に形成され、残りの２個の突出部１８ａは、保持部材１８の後端側に形成されている。また、保持部材１８の前端側に形成される２個の突出部１８ａは、左右方向において所定の間隔をあけた状態で配置され、保持部材１８の後端側に形成される２個の突出部１８ａも、左右方向において所定の間隔をあけた状態で配置されている。突出部１８ａは、前後方向から見たときの形状が長方形状となるブロック状に形成されている。突出部１８ａの上端面は、上下方向に直交する平面状に形成されている。４個の突出部１８ａのそれぞれは、４個の突出部１５ｃのそれぞれに対応する位置に配置されており、保持部材１８が保持位置１８Ａにあるときに、突出部１８ａの上端面は、突出部１５ｃの下端面に当接している。本形態の突出部１８ａは、第２突出部である。
【００３５】
当接部材１９は、略長方形の平板状に形成されている。この当接部材１９は、当接部材１９の厚さ方向と左右方向とが一致するように配置されている。当接部材１９は、保持部材１８の右端側に固定されており、保持部材１８の右端から上方向へ突出している。あるいは、当接部材１９は、保持部材１８と一体で形成されており、保持部材１８の右端から上方向へ突出している。
【００３６】
付勢部材２０は、たとえば、圧縮コイルバネである。したがって、以下では、付勢部材２０を「圧縮コイルバネ２０」と表記する。圧縮コイルバネ２０の左端は、当接部材１９の右面に当接している。
【００３７】
駆動源２１は、ソレノイドである。したがって、以下では、駆動源２１を「ソレノイド２１」と表記する。ソレノイド２１は、たとえば、移動部１７の上側に配置されている。ソレノイド２１の本体２１ａは、カード挿入部４のフレームに固定され、ソレノイド２１のプランジャ２１ｂの下端は、移動部１７に取り付けられている。また、ソレノイド２１は、プランジャ２１ｂが上下方向へ移動するように配置されている。プランジャ２１ｂは、圧縮コイルバネ２８に挿通されており、移動部１７は、圧縮コイルバネ２８によって下方向へ付勢されている。本形態では、ソレノイド２１が通電状態になると、プランジャ２１ｂが上側に移動して（すなわち、本体２１ａの中に向かって移動して）、移動部１７を上方向へ移動させる。すなわち、ソレノイド２１は、移動部１７に連結されており、移動部１７を上方向へ移動させる。本形態の圧縮コイルバネ２８は、第２の付勢部材である。
【００３８】
駆動ローラ２２は、回転軸２９に固定されている。回転軸２９は、回転軸２９の軸方向と左右方向とが一致するように配置されている。また、回転軸２９は、カード挿入部４のフレームに回転可能に支持されている。回転軸２９は、モータ３０に連結されている。駆動ローラ２２は、回転軸２９の左端側に固定されており、左右方向を回転の軸方向として回転可能となっている。駆動ローラ２２の上端側部分は、貫通孔１５ａの中に配置されている。移動部１７が上下動すると、駆動ローラ２２の上端側部分は、貫通孔１５ａの中を通過する。
【００３９】
図２（Ａ）に示すように、カード挿入口３にカード２が挿入される前の待機状態では、圧縮コイルバネ２０の付勢力によって当接部材１９および保持部材１８が左方向へ付勢されており、保持部材１８は保持位置１８Ａにある。このときには、保持部材１８の突出部１８ａの上端面が支持部材１５の突出部１５ｃの下端面に当接しており、移動部１７は挿入排出可能位置１７Ａにある。この状態で、カード挿入口３から挿入され先端（右端）が当接部材１９の左面に当接したカード２がさらに挿入されると、当接部材１９と一緒に保持部材１８が保持位置１８Ａから退避位置１８Ｂにスライドして、移動部１７が挿入排出可能位置１７Ａから挿入完了位置１７Ｂに移動する（図３、図４参照）。
【００４０】
すなわち、カード挿入口３から挿入され当接部材１９に当接したカード２がさらに挿入されると、保持位置１８Ａにあった保持部材１８が当接部材１９と一緒に右方向へ移動して、退避位置１８Ｂにスライドする。保持部材１８が退避位置１８Ｂにスライドすると、突出部１８ａの上端面と突出部１５ｃの下端面との当接状態が解除され、挿入排出可能位置１７Ａにあった移動部１７が、圧縮コイルバネ２８の付勢力および重力によって下降して挿入完了位置１７Ｂに移動する。移動部１７が挿入完了位置１７Ｂに移動すると、図４に示すように、カード２は、押えローラ１６と駆動ローラ２２との間に挟まれた状態になる。また、移動部１７が挿入完了位置１７Ｂに移動すると、圧縮コイルバネ２０の付勢力によって突出部１８ａの左側面は、突出部１５ｃの右側面に接触する。突出部１８ａの左側面が突出部１５ｃの右側面に接触することで保持部材１８および当接部材１９の左方向への移動が規制される。
【００４１】
その後、カード挿入部４の内部に配置される押えローラ１６および駆動ローラ２２と、本体部５の内部に配置されるカード搬送機構７とによって、前後方向において、カード挿入部４と本体部５との間でカード２が搬送される。また、本体部５の内部では、カード搬送機構７によって前後方向にカード２が搬送されて、磁気ヘッド６による磁気データの読取りや記録が行われる。
【００４２】
カード処理装置１でのカード２の処理が終了してカード処理装置１からカード２が排出されるときには、まず、カード２がカード挿入部４に搬入される。その後、ソレノイド２１が通電状態になって、移動部１７を上昇させる。すなわち、カード２の排出時には、ソレノイド２１の動力によって挿入完了位置１７Ｂから挿入排出可能位置１７Ａに移動部１７が移動する。移動部１７が挿入排出可能位置１７Ａに上昇するときには、支持部材１５によってカード２が持ち上げられる。また、移動部１７が挿入排出可能位置１７Ａまで上昇すると、突出部１５ｃの右側面と突出部１８ａの左側面との接触状態が解除され、退避位置１８Ｂにあった保持部材１８が圧縮コイルバネ２０の付勢力によって左方向へ移動して、保持位置１８Ａにスライドする。このときには、保持部材１８と一緒に当接部材１９が左方向へ移動してカード２をカード挿入口３から排出する。すなわち、このときには、当接部材１９によって左方向へカード２が押されて、カード挿入口３からカード２が排出される。
【００４３】
（本形態の主な効果）
以上説明したように、本形態では、カード挿入口３から挿入され当接部材１９に当接したカード２がさらに挿入されると、保持部材１８が保持位置１８Ａから退避位置１８Ｂにスライドして移動部１７が挿入排出可能位置１７Ａから挿入完了位置１７Ｂに移動する。すなわち、本形態では、カード挿入口３から挿入され当接部材１９に当接したカード２がさらに挿入されると、挿入排出可能位置１７Ａよりも下側の位置である挿入完了位置１７Ｂに移動部１７が移動して、押えローラ１６がカード２の上面を押さえる。そのため、本形態では、良好なカード２の挿入完了感を得ることが可能になる。
【００４４】
本形態では、カード２の排出時に、ソレノイド２１の動力によって挿入完了位置１７Ｂから挿入排出可能位置１７Ａに移動部１７が上昇し、圧縮コイルバネ２０の付勢力によって退避位置１８Ｂにあった保持部材１８と一緒に当接部材１９が左方向へ移動して、カード２がカード挿入口３から排出される。したがって、本形態では、良好なカード２の挿入完了感を得るために、カード２の挿入時に挿入排出可能位置１７Ａよりも下側の位置である挿入完了位置１７Ｂに移動部１７が移動しても、カード２を自動で排出することが可能になる。
【００４５】
本形態では、カード２は、カード２の短手方向と左右方向とが一致するようにカード挿入口３に挿入されている。そのため、本形態では、犯罪者がカード挿入口３に磁気ヘッドを取り付けて、この磁気ヘッドでカード２の磁気データを不正に取得するスキミングを防止することが可能になる。また、本形態では、左右方向におけるカード挿入部４の幅がカード２の長手方向の幅よりも狭くなっているため、カード２の長手方向と左右方向とが一致するようにカード２がカード挿入口３に挿入されてもカード挿入部４にカード２は取り込まれない。したがって、本形態では、カード２の長手方向と左右方向とが一致するようにカード２がカード挿入口３に挿入されるといったカード２の誤挿入を防止することが可能になる。
【００４６】
本形態では、カード処理装置１の内部において、カード２は、カード２の長手方向と前後方向とが一致した状態で前後方向に搬送されている。そのため、本形態では、前後方向へ磁気ヘッド６を移動させるヘッド移動機構をカード処理装置１が備えていなくても磁気ヘッド６によって磁気データの読取りや記録を行うことが可能になる。したがって、本形態では、カード処理装置１の構成を簡素化することが可能になる。
【００４７】
（カード挿入部の変形例）
図５は、本発明の他の実施の形態にかかるカード挿入部４を示す図であり、（Ａ）は正面図、（Ｂ）は平面図である。図６、図７、図８は、図５に示すカード挿入部４の動作を説明するための図であり、（Ａ）は正面図、（Ｂ）は平面図である。
【００４８】
上述した形態では、当接部材１９は、保持部材１８に固定されているか、あるいは、保持部材１８と一体で形成されている。この他にもたとえば、図５〜図８に示すように、保持部材１８を保持位置１８Ａでロックするロック部材３９が設けられるとともに、当接部材１９がロック部材３９に固定されているか、あるいは、ロック部材３９と一体で形成されていても良い。以下、この変形例にかかるカード挿入部４の構成および動作を説明する。なお、以下の説明では、上述した形態と同様の構成については、同一の符号を付してその説明を省略または簡略化する。
【００４９】
上述した形態と同様に、カード挿入部４の内部には、移動部１７、保持部材１８、当接部材１９、ソレノイド２１および駆動ローラ２２等が配置されている。また、変形例にかかるカード挿入部４の内部には、ロック部材３９と、左方向へ当接部材１９を付勢する第１の付勢部材としての引張りコイルバネ４０と、保持部材１８を左方向へ付勢する第３の付勢部材としての引張りコイルバネ４１とが配置されている。なお、図５（Ａ）、図６（Ａ）、図７（Ａ）、図８（Ａ）では、引張りコイルバネ４０の図示を省略している。また、図５（Ｂ）、図６（Ｂ）、図７（Ｂ）、図８（Ｂ）では、ソレノイド２１、ガイド部材２３、圧縮コイルバネ２８および引張りコイルバネ４１の図示を省略している。
【００５０】
支持部材１５に形成される突出部１５ｃは、前後方向から見たときの形状が台形状となるブロック状に形成されている。突出部１５ｃの下端面は、上下方向に直交する平面状に形成されている。突出部１５ｃの左側面は、下方向に向かうにしたがって右方向へ向かうように傾斜する平面状の傾斜面となっている。突出部１５ｃの傾斜角度は、比較的緩やかになっている。突出部１５ｃの右側面は、左右方向に直交する平面状に形成されている。保持部材１８の右端側には、ロック部材３９に接触する接触部１８ｂが上方向へ突出するように形成されている。
【００５１】
ロック部材３９は、平板状に形成されている。このロック部材３９は、たとえば、上下方向から見たときの形状が略Ｊ形状となるように形成されている。ロック部材３９は、カード挿入部４のフレームに回動可能に保持されており、上下方向を回動の軸方向として回動可能となっている。当接部材１９は、細長い円柱状に形成されている。この当接部材１９は、当接部材１９の軸方向と上下方向とが一致するように配置されている。また、上述のように、当接部材１９は、ロック部材３９に固定されているか、あるいは、ロック部材３９と一体で形成されている。具体的には、当接部材１９は、上下方向から見たときの形状が略Ｊ形状となるロック部材３９の一端側に固定されているか、あるいは、ロック部材３９の一端側に形成されている。
【００５２】
引張りコイルバネ４０の一端側（右端側）は、当接部材１９に取り付けられ、引張りコイルバネ４０の他端側（左端側）は、カード挿入部４のフレームの左端側部分に固定されている。引張りコイルバネ４０は、当接部材１９を左方向へ付勢するとともに、ロック部材３９が保持部材１８をロックするロック位置３９Ａ（図５（Ｂ）に示す位置）に向かってロック部材３９を付勢している。すなわち、引張りコイルバネ４０は、ロック部材３９の他端側部分が保持部材１８の接触部１８ｂの左側面に接触して保持部材１８の左方向への移動を規制するロック位置３９Ａに向かってロック部材３９を付勢している。この変形例では、引張りコイルバネ４０は、図５〜図８における時計回りの方向（時計方向）へロック部材３９を付勢している。
【００５３】
ソレノイド２１は、たとえば、保持部材１８の下側に配置されている。ソレノイド２１の本体は、カード挿入部４のフレームに固定され、ソレノイド２１のプランジャは、保持部材１８に取り付けられている。すなわち、ソレノイド２１は、保持部材１８に連結されている。また、ソレノイド２１は、プランジャが左右方向へ移動するように配置されている。この変形例では、ソレノイド２１が通電状態になると、プランジャが右側に移動して、保持部材１８を右方向へスライドさせる。
【００５４】
圧縮コイルバネ２８は、移動部１７の上側に配置されており、移動部１７を下方向へ付勢している。引張りコイルバネ４１の一端側（右端側）は、保持部材１８に取り付けられ、引張りコイルバネ４１の他端側（左端側）は、カード挿入部４のフレームの左端側部分に固定されている。引張りコイルバネ４１は、保持部材１８を左方向へ付勢している。
【００５５】
図５に示すように、カード挿入口３にカード２が挿入される前の待機状態では、引張りコイルバネ４０の付勢力によってロック部材３９はロック位置３９Ａに向かって付勢されており、保持部材１８は、ロック部材３９によって保持位置１８Ａでロックされている。すなわち、待機状態では、保持部材１８は保持位置１８Ａにある。このときには、保持部材１８の突出部１８ａの上端面が支持部材１５の突出部１５ｃの下端面に当接しており、移動部１７は挿入排出可能位置１７Ａにある。この状態で、カード挿入口３から挿入され先端（右端）が当接部材１９に当接したカード２がさらに挿入されると、ロック部材３９による保持部材１８のロック状態が解除され、保持位置１８Ａにあった保持部材１８が左方向へ移動して退避位置１８Ｂへスライドし、移動部１７が挿入排出可能位置１７Ａから挿入完了位置１７Ｂに移動する（図６〜図８参照）。
【００５６】
すなわち、カード挿入口３から挿入され当接部材１９に当接したカード２がさらに挿入されると、図６（Ｂ）に示すように、ロック部材３９が保持部材１８の接触部１８ｂから離れる方向（すなわち、図５〜図８の反時計回りの方向）へ回動し、やがて、図７（Ｂ）に示すようにロック部材３９と接触部１８ｂとの接触状態が解除される。ロック部材３９と接触部１８ｂとの接触状態が解除されると、図８に示すように、引張りコイルバネ４１の付勢力によって保持位置１８Ａにあった保持部材１８が左方向へ移動して、退避位置１８Ｂにスライドする。保持部材１８が退避位置１８Ｂにスライドすると、突出部１８ａの上端面と突出部１５ｃの下端面との当接状態が解除され、挿入排出可能位置１７Ａにあった移動部１７が、圧縮コイルバネ２８の付勢力および重力によって下降して挿入完了位置１７Ｂに移動する。移動部１７が挿入完了位置１７Ｂに移動すると、図８（Ａ）に示すように、カード２は、押えローラ１６と駆動ローラ２２との間に挟まれた状態になる。なお、保持部材１８が退避位置１８Ｂにあるときには、図８（Ｂ）に示すように、接触部１８ｂによって時計方向へのロック部材３９の回動が規制されている。
【００５７】
その後、上述した形態と同様に、押えローラ１６および駆動ローラ２２と、カード搬送機構７とによって、カード挿入部４と本体部５との間でカード２が搬送される。また、本体部５の内部では、カード搬送機構７によってカード２が搬送されて、磁気ヘッド６による磁気データの読取りや記録が行われる。
【００５８】
カード処理装置１でのカード２の処理が終了してカード処理装置１からカード２を排出するときには、まず、カード２がカード挿入部４に搬入される。その後、ソレノイド２１が通電状態になって、保持部材１８を右方向へスライドさせる。すなわち、カード２の排出時には、ソレノイド２１の動力によって保持部材１８を退避位置１８Ｂから保持位置１８Ａにスライドさせる。保持部材１８が退避位置１８Ｂから保持位置１８Ａへスライドするときには、突出部１８ａが突出部１５ｃの左側面に形成される傾斜面に接触しながら右方向へ移動するため、移動部１７が持ち上げられて、挿入完了位置１７Ｂから挿入排出可能位置１７Ａに移動する。移動部１７が挿入排出可能位置１７Ａまで上昇するときには、支持部材１５によってカード２が持ち上げられる。また、保持部材１８が保持位置１８Ａにスライドすると、接触部１８ｂによるロック部材３９の回動の規制が解除されるため、引張りコイルバネ４０の付勢力によって当接部材１９が左方向へ移動してカード２をカード挿入口３から排出する。すなわち、当接部材１９によって左方向へカード２が押されて、カード挿入口３からカード２が排出される。
【００５９】
この変形例においても、上述した形態と同様の効果を得ることができる。なお、上述した形態のように、ソレノイド２１が移動部１７に連結されており、ソレノイド２１が移動部１７を直接上昇させる場合には、この変形例と比較して、移動部１７を確実に上昇させることが可能になる。
【００６０】
（他の実施の形態）
上述した形態は、本発明の好適な形態の一例ではあるが、これに限定されるものではなく本発明の要旨を変更しない範囲において種々変形実施が可能である。
【００６１】
上述した形態では、搬送ローラ対１０の駆動ローラを駆動するモータ１２と、駆動ローラ２２を駆動するモータ３０とが別個に設けられているが、共通のモータによって搬送ローラ対１０の駆動ローラおよび駆動ローラ２２を駆動しても良い。たとえば、モータ１２によって搬送ローラ対１０の駆動ローラおよび駆動ローラ２２を駆動しても良い。この場合には、プーリやベルト等の動力伝達機構を介して回転軸２９がモータ１２に連結される。
【００６２】
上述した形態では、カード搬送機構７は、複数の搬送ローラ対１０を備えているが、カード搬送機構７は、複数の搬送ローラ対１０に代えて、カード２を搬送するための複数のプーリおよびこのプーリに架け渡されるベルトを備えていても良い。また、上述した形態において、駆動ローラ２２の代わりに、カード２を搬送するための複数のプーリおよびこのプーリに架け渡されるベルトが設けられても良い。
【００６３】
上述した形態では、カード挿入部４と本体部５とは、前後方向で隣り合うように配置されているが、カード挿入部４と本体部５とは、左右方向で隣り合うように配置されても良い。この場合には、カード処理装置１の内部において、カード２は、カード２の短手方向と左右方向とが一致した状態で左右方向に搬送される。また、この場合には、カード２が左右方向に搬送されるように、搬送ローラ対１０、押えローラ１６および駆動ローラ２２は、前後方向を回転の軸方向として回転する。
【００６４】
上述した形態では、カード２は、カード２の短手方向と左右方向とが一致するようにカード挿入口３に挿入されているが、カード２は、カード２の長手方向と左右方向とが一致するようにカード挿入口３に挿入されても良い。この場合には、たとえば、カード処理装置１の内部において、カード２は、カード２の短手方向と前後方向とが一致した状態で前後方向に搬送される。また、この場合において、カード挿入部４と本体部５とが左右方向で隣り合うように配置されても良い。この場合には、カード処理装置１の内部において、カード２は、カード２の長手方向と左右方向とが一致した状態で左右方向に搬送される。
【００６５】
上述した形態では、カード処理装置１は、本体部５を備えているが、カード処理装置１は、本体部５を備えていなくても良い。この場合には、磁気ヘッド６は、カード挿入部４の内部に配置される。また、この場合には、カード挿入口３から挿入されたカード２の上面を押さえるための押え部材は、押えローラ１６でなくても良い。たとえば、押え部材は、ブロック状の部材であっても良い。また、この場合には、駆動ローラ２２が設けられていなくても良いし、駆動ローラ２２に代えてブロック状の部材が設けられていても良い。すなわち、この場合のカード処理装置１は、カード２の搬送機構を備えていない手動式のものであっても良い。
【００６６】
上述した形態では、当接部材１９を付勢する第１の付勢部材は、圧縮コイルバネ２０または引張りコイルバネ４０であるが、第１の付勢部材は、板バネ等の他のバネ部材であっても良い。同様に、上述した形態では、移動部１７を下方向へ付勢する第２の付勢部材は、圧縮コイルバネ２８であるが、第２の付勢部材は、引張りコイルバネや板バネ等の他のバネ部材であっても良い。また、図５〜図８に示す変形例において、保持部材１８を左方向へ付勢する第３の付勢部材は、引張りコイルバネ４１であるが、第３の付勢部材は、圧縮コイルバネや板バネ等の他のバネ部材であっても良い。また、上述した形態では、挿入完了位置１７Ｂから挿入排出可能位置１７Ａへ移動部１７を移動させるための駆動源は、ソレノイド２１であるが、挿入完了位置１７Ｂから挿入排出可能位置１７Ａへ移動部１７を移動させるための駆動源は、モータであっても良い。
【００６７】
上述した形態では、Ｚ方向（上下方向）が鉛直方向（重力の方向）と一致するようにカード処理装置１が設置されているが、Ｘ方向（左右方向）またはＹ方向（前後方向）が鉛直方向（重力の方向）と一致するようにカード処理装置１が設置されても良い。また、上述した形態において、カード２の表面にＩＣチップの外部接続端子が形成される場合には、カード処理装置１は、磁気ヘッド６に加えて、あるいは、磁気ヘッド６に代えて、ＩＣ接点ブロックを備えていても良い。
【符号の説明】
【００６８】
１  カード処理装置
２  カード
２ａ  磁気ストライプ
３  カード挿入口
４  カード挿入部
５  本体部
６  磁気ヘッド
７  カード搬送機構
１５  支持部材
１５ｃ  突出部（第１突出部）
１６  押えローラ（押え部材、第２ローラ）
１７  移動部
１７Ａ  挿入排出可能位置
１７Ｂ  挿入完了位置
１８  保持部材
１８Ａ  保持位置
１８Ｂ  退避位置
１８ａ  突出部（第２突出部）
１９  当接部材
２０  圧縮コイルバネ（第１の付勢部材）
２１  ソレノイド（駆動源）
２２  駆動ローラ（第１ローラ）
２８  圧縮コイルバネ（第２の付勢部材）
３９  ロック部材
３９Ａ  ロック位置
４０  引張りコイルバネ（第１の付勢部材）
４１  引張りコイルバネ（第３の付勢部材）
Ｘ１  カードの挿入方向
Ｘ２  カードの排出方向
Ｙ  直交方向
Ｚ  カードの厚さ方向
Ｚ１  第２方向
Ｚ２  第１方向
【図１】
0006370734.tif 000002
【図２】
0006370734.tif 000003
【図３】
0006370734.tif 000004
【図４】
0006370734.tif 000005
【図５】
0006370734.tif 000006
【図６】
0006370734.tif 000007
【図７】
0006370734.tif 000008
【図８】
0006370734.tif 000009